(57)【要約】【課題】コンクリートスラブを施工する際に安定した状態で設置することができるとともに、固化したコンクリートスラブから容易に取り出して再利用することが可能なデッキプレートとそれに用いられるデッキプレート固定金具を提供する。【解決手段】本発明のデッキプレート固定金具６ａは、平面視矩形状をなすとともに一端が下方へ直角に折り曲げられるようにして直立部７ａが形成された金属製の長尺部材７と、この長尺部材７の下面７ｂに設けられる補強部材８ａからなる。本発明のデッキプレート１ａは、デッキプレート固定金具６ａ，６ａが両端に挿設される角パイプ３と、この複数の角パイプ３が下面２ｂに固定された平板２を備えており、角パイプ３の下面３ａに形成されたボルト孔には、ボルト４が螺入されている。【選択図】図１
2019210633.tif 000002
【特許請求の範囲】
【請求項１】
コンクリートを打設する際に上面が成型面となる平板と、この平板の下面に固定される複数の角パイプと、を備え、建築物の床や天井等にコンクリートスラブを形成する際に型枠の一部を構成するデッキプレートに用いられるデッキプレート固定金具であって、
平面視矩形状をなす金属製の長尺部材と、
この長尺部材の長手方向の一端から所望の間隔をあけて、第１の面に設けられる補強部材と、を備え、
この補強部材は、前記長尺部材の長手方向の他端側から前記角パイプの内部へ少なくとも一部が前記長尺部材とともに挿設可能に形成されていることを特徴とするデッキプレート固定金具。
【請求項２】
前記長尺部材は、前記第１の面側へ前記一端が直角に折り曲げられるようにして直立部が形成されていることを特徴とする請求項１に記載のデッキプレート固定金具。
【請求項３】
前記長尺部材は、前記補強部材が設けられていない部分が所望の角度だけ前記第１の面側へ折り曲げられていることを特徴とする請求項１又は請求項２に記載のデッキプレート固定金具。
【請求項４】
前記補強部材は、前記長尺部材の長手方向の前記一端に近い側の端部において前記第１の面に直交する方向へ前記長尺部材から最も離れている箇所と、前記補強部材が設けられていない部分の前記第１の面とを連結する連結板を備えていることを特徴とする請求項１乃至請求項３のいずれか１項に記載のデッキプレート固定金具。
【請求項５】
前記補強部材は、プラスチック製又は木製の角柱体からなることを特徴とする請求項１乃至請求項３のいずれか１項に記載のデッキプレート固定金具。
【請求項６】
請求項１乃至請求項５のいずれか１項に記載のデッキプレート固定金具が両端にそれぞれ挿設される前記角パイプと、
この角パイプが下面に固定される前記平板と、を備え、
前記角パイプの下面に形成されたボルト孔と、
前記角パイプの内部へ先端部を突出可能に前記ボルト孔に螺入されるボルトと、を備えていることを特徴とするデッキプレート。
【請求項７】
前記角パイプと前記平板は、長手方向の中央部分が前記平板の側へ凸となるように、湾曲した状態に形成されていることを特徴とする請求項６に記載のデッキプレート。
【発明の詳細な説明】
【技術分野】
【０００１】
本発明は、建築物の床や天井等にコンクリートスラブを形成する際に用いられるデッキプレートとそれに用いられるデッキプレート固定金具に係り、特に、両端が開放された角パイプを有するデッキプレートとそれに用いられるデッキプレート固定金具に関する。
【背景技術】
【０００２】
鉄筋コンクリートや鉄骨鉄筋コンクリートを構造材料とする建築物では、床や天井等にコンクリートスラブを形成する際に、その型枠の一部として、金属製の板材を加工したデッキプレートが用いられる場合が多い。
従来のデッキプレートは、梁の上面に溶接されたり、ボルト締め等によって梁などに固定されたりしていたため、固化したコンクリートスラブから分離して回収することが困難であった。しかしながら、デッキプレートは、コンクリートが固化してスラブが形成された時点で、その役割を終えるため、コンクリートスラブの施工後には、デッキプレートを回収して、再利用することが望ましい。
【０００３】
例えば、特許文献１には、全体の長さの調節を効率良く行うことができるとともに、コンクリートスラブを施工した後に回収して複数回繰り返して利用できるデッキプレートとその製造方法に関する発明が記載されている。
ここで、特許文献１に記載されたデッキプレートについて、図８及び図９を用いて説明する。ただし、図８（ａ）は特許文献１に開示された従来技術に係るデッキプレートの正面図であり、図８（ｂ）及び図８（ｃ）は図８（ａ）に示したデッキプレートを構成する２種類の型枠部材の平面図である。また、図９（ａ）及び図９（ｃ）は型枠部材の外観斜視図であり、図９（ｂ）及び図９（ｄ）はそれぞれ図９（ａ）におけるＤ−Ｄ線矢視断面図及び図９（ｃ）におけるＥ−Ｅ線矢視断面図である。
なお、図８（ｂ）及び図８（ｃ）は図８（ａ）において矢印Ｙで示す方向に見たデッキプレートを２つの型枠部材に分解した状態を示す図にそれぞれ相当する。
【０００４】
図８及び図９に示すように、デッキプレート５１は、上面５４ａ，５５ａがコンクリートを打設する際に成型面となる平板５４，５５と、この平板５４，５５の下面５４ｂ，５５ｂに溶接や接着あるいはリベットやビスによって固定される角パイプ５６，５７によって構成される厚さ０．８ｍｍ程度の金属製の型枠部材５２，５３からなる。
角パイプ５６，５７はいずれも一端が扁平状に押圧変形されており、この端部（以下、扁平端５６ｂ，５７ｂという。）を閉塞するように金属製の長尺部材５８（図９（ｂ）及び図９（ｄ）参照）がその内部に挿設されている。そして、角パイプ５６の外寸は角パイプ５７の内寸よりも小さく、開口端５６ａは開口端５７ａに対して挿通可能に形成されている。
【０００５】
角パイプ５６の上面５６ｃは平板５４に対し、長手方向の中央付近と扁平端５６ｂの近傍の２か所がスポット溶接されており、角パイプ５７の上面５７ｃは平板５５に対し、長手方向の中央付近と両端近傍の３か所がスポット溶接されている。これにより、型枠部材５２は、型枠部材５３の角パイプ５７の内部に角パイプ５６を挿通するようにして、平板５４の下面５４ｂと角パイプ５６の上面５６ｃの間に、平板５５を所定の長さだけ挿入可能となっている。
なお、平板５４，５５は厚さが０．８ｍｍ程度と薄いため、平板５４の下面５４ｂと角パイプ５６の上面５６ｃの間に平板５５を挿入して平板５４，５５の一部を重ね合わせた後、上面５４ａ，５５ａにコンクリートを打設した場合でも、平板５４の下面５４ｂと平板５５の上面５５ａの間にコンクリートが入り込むおそれはない。
【０００６】
このように、デッキプレート５１は、角パイプ５６の開口端５６ａを角パイプ５７の開口端５７ａの内部に挿入するようにして型枠部材５２を型枠部材５３に連結し、図８（ａ）に矢印Ｘで示すように型枠部材５２，５３を互いにスライドさせることにより、全長を容易に調節可能な構造となっている。そのため、デッキプレート５１は、コンクリートスラブからの分離が容易であり、回収した後の利用範囲も広いため、再利用に適している。
【先行技術文献】
【特許文献】
【０００７】
【特許文献１】国際公開第２０１５／０２９１９７号パンフレット
【発明の概要】
【発明が解決しようとする課題】
【０００８】
このデッキプレート５１を用いたコンクリートスラブの施工方法について図１０乃至図１２を用いて説明する。なお、図１０（ａ）及び図１０（ｂ）は図８に示したデッキプレートを用いてコンクリートスラブが形成される様子を模式的に示した図である。また、図１１（ａ）は図８に示したデッキプレートが２つのＨ型鋼の間に架け渡された状態を示した図であり、図１１（ｂ）は図１１（ａ）に示したデッキ受け治具の正面図である。さらに、図１２（ａ）は両端が潰されていない角パイプを備えた従来技術に係るデッキプレートが２つのＨ型鋼の間に架け渡された状態を示した図であり、図１２（ｂ）及び図１２（ｃ）はそれぞれ図１２（ａ）に示したデッキプレートの側面図及び平面図である。
【０００９】
図１０（ａ）に示すように、まず、既に形成されている下階のスラブ５９等の上に支保工６０を組み上げ、この支保工６０の上に梁型枠６１を設置する。
次に、型枠部材５２，５３をスライドさせて全体を適切な長さに調節した後、対向する２つの梁型枠６１，６１の側部に固定された角材６２，６２の上面に両端をそれぞれ載置するようにしてデッキプレート５１を設置する。
【００１０】
さらに、梁型枠６１，６１の間に設置された支保工６０の上に枕木６３を載置してデッキプレート５１の中央部を支持した後、複数のデッキプレート５１の平板５４，５５の上面５４ａ，５５ａ（図８（ａ）参照）に鉄筋からなるスラブ型枠（図示せず）を形成し、このスラブ型枠内にコンクリートを打設する。
コンクリートが固化して梁６４とスラブ６５が形成された段階で上記スラブ型枠や支保工６０、あるいは梁型枠６１やデッキプレート５１などを撤去することになるが、その際、全ての支保工６０を一度に撤去してしまうと、支えを失ったデッキプレート５１が不用意に落下してしまうおそれがある。そのため、通常、所定のデッキプレート５１に対し、枕木６３で支持していた箇所とは別の箇所を支持する目的で新たな支保工６０が設置される（図１０（ｂ）参照）。
そして、全てのデッキプレート５１を撤去した後、上記スラブ型枠と支保工６０及び梁型枠６１を撤去する。
【００１１】
上下のフランジが水平になるように設置された２つのＨ型鋼の間にデッキプレート５１を架け渡す場合には、例えば、図１１（ａ）及び図１１（ｂ）に示すようなデッキ受け治具６７が用いられる。
デッキ受け治具６７は、断面が略Ｚ字をなす形鋼であって、Ｈ型鋼６６のウェブ６６ａに対して取付用ボルト６９ａとナット６９ｂからなる締結具を用いて固定されるアングル材６８を備えており、角材６２を介してデッキプレート５１を支持する目的で用いられるものである。
アングル材６８は、角材６２が載置される平坦部６８ａと、平坦部６８ａに直交するように、その一端から延設される直立部６８ｂと、平坦部６８ａと鋭角をなすように、その他端から延設される取付部６８ｃからなる。そして、アングル材６８の幅方向の中央に、平面視台形をなす補強板７０が、平坦部６８ａと取付部６８ｃに対してそれぞれ直交し、かつ、それらを互いに接続するように設けられている。
【００１２】
取付部６８ｃには、その幅方向の中心となる箇所に、傾き調整用ボルト７１と螺合する雌ネジが内周面に形成されたボルト穴７２ａが平坦部６８ａの長手方向と平行に設けられている。すなわち、補強板７０は、このボルト穴７２ａと取付部６８ｃの基端との間に設けられている。
また、取付部６８ｃには、その基端から等距離の箇所において、補強板７０を間に挟むようにして、その両側に一対の長穴７２ｂ，７２ｂが取付部６８ｃと平行に細長く、かつ、その深さ方向が取付部７０と直交するように設けられている。ただし、長穴７２ｂの円弧の部分の曲率半径が取付用ボルト６９ａの半径よりも大きくなるように形成されている。なお、長穴７２ｂ，７２ｂは、取付用ボルト６９ａをそれぞれ挿通可能に形成されている。
そして、Ｈ型鋼６６のウェブ６６ａには、デッキ受け治具６７が取り付けられる箇所に対し、一対の長穴７２ｂ，７２ｂに対してそれぞれ挿通された一対の取付用ボルト６９ａ，６９ａを同時に挿通可能に、一対の貫通穴（図示せず）がフランジ６６ｂから等距離の箇所にそれぞれ設けられている。
【００１３】
このように、特許文献１に開示されたデッキプレートは、鉄筋コンクリートや鉄骨鉄筋コンクリートを構造材料とする建築物において、床や天井等にコンクリートスラブを形成する際に有用である。ただし、肉厚が１．６ｍｍ以上の角パイプを用いる場合には、その端部を圧し潰して扁平状に加工することが困難なため、特許文献１に開示されたデッキプレート（図８（ａ）に示したデッキプレート５１）を用いることができない。
【００１４】
デッキプレート５１を用いることができない場合には、例えば、図１２（ａ）乃至図１２（ｃ）に示すように、所定の間隔をあけて平行に配置された複数本の角パイプ７４を互いに連結するように、その上面７４ａに、平面視矩形状をなす平板７５が溶接や接着あるいはリベットやビスによって固定された構造のデッキプレート７３が、従来、用いられていた。
しかしながら、デッキプレート７３は、全体の長さを変更できる構造ではないため、コンクリートスラブが形成された後に、その中から取り出すことが容易でなく、また、回収した後の利用範囲が限られるため、再利用に適さないという課題があった。また、角パイプ７４の断面が、高さ方向（平板７５に直交する方向）の長さよりも幅方向（平板７５に平行な方向）の長さが短いような縦長の形状をなしている場合、角材６２の上面に載置された角パイプ７４の端部が、角パイプ７４の長手方向に直交する鉛直平面内で揺動し易い。すなわち、デッキプレート７３においては、このような場合に、安定した状態で設置できないという課題があった。
【００１５】
本発明は、このような従来の事情に対処してなされたものであり、コンクリートスラブを施工する際に安定した状態で設置することができるとともに、固化したコンクリートスラブから容易に取り出して再利用することが可能なデッキプレートとそれに用いられるデッキプレート固定金具を提供することを目的とする。
【課題を解決するための手段】
【００１６】
上記目的を達成するため、第１の発明は、コンクリートを打設する際に上面が成型面となる平板と、この平板の下面に固定される複数の角パイプと、を備え、建築物の床や天井等にコンクリートスラブを形成する際に型枠の一部を構成するデッキプレートに用いられるデッキプレート固定金具であって、平面視矩形状をなす金属製の長尺部材と、この長尺部材の長手方向の一端から所望の間隔をあけて、第１の面に設けられる補強部材と、を備え、この補強部材は、長尺部材の長手方向の他端側から角パイプの内部へ少なくとも一部が長尺部材とともに挿設可能に形成されていることを特徴とするものである。
【００１７】
上記構造のデッキプレート固定金具においては、鉄筋コンクリートや鉄骨鉄筋コンクリートを構造材料とする構築物にコンクリートスラブを形成する際に型枠の一部として用いられるデッキプレートが角パイプを備えている場合に、この角パイプに長尺部材と補強部材の一部を挿設するとともに、角パイプから突出した長尺部材の一端を梁型枠やＨ型鋼に設置された角材の上面に固定することで、梁型枠やＨ型鋼に対してデッキプレートが固定されるという作用を有する。
また、この場合、角パイプの断面が高さ方向の長さよりも幅方向の長さが短いような縦長の形状であったとしても、角材の上面に角パイプが直に載置される場合とは異なり、角材の上面に載置された角パイプの端部がその長手方向に直交する鉛直平面内で揺動するという事態が起こらないため、デッキプレートの設置状態が安定するという作用を有する。
さらに、上述のようにデッキプレートにデッキプレート固定金具を取り付けた状態でデッキプレート固定金具を角パイプの長手方向へスライドさせると、固定金具のうち角パイプから突出した部分をデッキプレートに加えた全体の長さが変化するという作用を有する。
【００１８】
また、第２の発明は、第１の発明において、長尺部材は、第１の面側へ一端が直角に折り曲げられるようにして直立部が形成されていることを特徴とするものである。
このような構造のデッキプレート固定金具においては、第１の発明の作用に加え、デッキプレートの角パイプに長尺部材と補強部材の一部が内挿されるとともに、角パイプから突出している長尺部材の一端が角材の上面に載置された状態で、デッキプレート固定金具に対して角材から引き離すような水平方向の力が加わった場合に、長尺部材の直立部が角材の側面に係止して、上記方向へのデッキプレート固定金具の移動を制限するという作用を有する。
【００１９】
第３の発明は、第１の発明又は第２の発明において、長尺部材は、補強部材が設けられていない部分が所望の角度だけ第１の面側へ折り曲げられていることを特徴とするものである。
上記構造のデッキプレート固定金具の一部がデッキプレートの角パイプの両端にそれぞれ挿設されている場合、このデッキプレートを２つの梁型枠やＨ型鋼の間に架け渡すように載置すると、デッキプレートが両端の長尺部材によって持ち上げられた状態となり、キャンバー（むくり）が形成されるという作用を有する。
【００２０】
第４の発明は、第１の発明乃至第３の発明のいずれかの発明において、補強部材は、長尺部材の長手方向の一端に近い側の端部において第１の面に直交する方向へ長尺部材から最も離れている箇所と、補強部材が設けられていない部分の第１の面とを連結する連結板を備えていることを特徴とするものである。
第４の発明においては、第１の発明乃至第３の発明のいずれかの発明の作用に加え、連結板が長尺部材において補強部材が設けられていない部分の曲げ強度を高めるという作用を有する。
【００２１】
第５の発明は、第１の発明乃至第３の発明のいずれかの発明において、補強部材は、プラスチック製又は木製の角柱体からなることを特徴とするものである。
上記構造のデッキプレート固定金具においては、第１の発明乃至第３の発明のいずれかの発明の作用に加え、補強部材を構成する部材の材料コストが安く、かつ、その部材の点数も少ないという作用を有する。
【００２２】
第６の発明に係るデッキプレートは、第１の発明乃至第５の発明のいずれかの発明に係るデッキプレート固定金具が両端にそれぞれ挿設される角パイプと、この角パイプが下面に固定される平板と、を備え、角パイプの下面に形成されたボルト孔と、角パイプの内部へ先端部を突出可能にボルト孔に螺入されるボルトと、を備えていることを特徴とするものである。
第６の発明においては、第１の発明乃至第５の発明のいずれかの発明と同様の作用を有する。
【００２３】
第７の発明は、第６の発明において、角パイプと平板は、長手方向の中央部分が平板の側へ凸となるように、湾曲した状態に形成されていることを特徴とするものである。
上記構造のデッキプレートにおいては、第１の発明乃至第５の発明のいずれかの発明に係るデッキプレート固定金具が角パイプの両端にそれぞれ挿設された状態で、２つの梁型枠やＨ型鋼の間に架け渡すように載置された場合、長手方向の中央部にキャンバー（むくり）が形成されるという作用を有する。
【発明の効果】
【００２４】
第１の発明が取り付けられるデッキプレートは、角パイプの端部が扁平状に加工されたものである必要がないため、第１の発明を用いることによれば、デッキプレートの製造コストの削減を図ることができる。また、そのようなデッキプレートにおいて、角パイプの断面が高さ方向の長さよりも幅方向の長さが短いような縦長の形状をなしている場合でも、第１の発明を用いた場合には、梁型枠やＨ型鋼に対するデッキプレートの設置状態が安定するため、作業者はデッキプレートの設置作業を安全に行うことができる。さらに、第１の発明を用いてデッキプレートを設置した場合には、コンクリートスラブの形成後に、デッキプレートに第１の発明を加えた全体の長さを短くすることで、上述のコンクリートスラブの中からのデッキプレートの取り出しが容易となる。そして、このような構造であれば、全体の長さが調節可能であるため、回収後の利用範囲が広い。すなわち、第１の発明を用いることによれば、デッキプレートを容易に回収して再利用することができる。
【００２５】
第２の発明によれば、第１の発明の効果を奏することに加え、デッキプレートの角パイプに長尺部材と補強部材の一部が内挿されるとともに、角パイプから突出している長尺部材の一端が角材の上面に載置された状態で、デッキプレート固定金具に対して角材から引き離すような水平方向の力が加わった場合でも、その方向へデッキプレート固定金具が移動して長尺部材の一端が角材の上面から外れてしまうことがないため、作業者は梁型枠やＨ型鋼に対してデッキプレートを設置する作業を安全に行うことができる。
【００２６】
コンクリートスラブを形成する際に、第３の発明を用いてデッキプレートを２つの梁型枠やＨ型鋼の間に架け渡すように載置すると、デッキプレートにキャンバーが形成されるため、支保工が不要となる。したがって、第３の発明によれば、第１の発明及び第２の発明の効果に加え、コンクリートスラブの施工に要するコストが削減されるという効果を奏する。
【００２７】
第４の発明によれば、第１の発明乃至第３の発明のいずれかの発明の効果に加え、長尺部材において補強部材が設けられていない部分の曲げ強度が連結板によって高められるため、当該部分が破損し難いという効果を奏する。
【００２８】
第５の発明によれば、第１の発明乃至第３の発明のいずれかの発明と同様の効果に加え、製造コストが削減されるという効果を奏する。
【００２９】
第６の発明によれば、第１の発明乃至第５の発明のいずれかの発明と同様の効果を奏する。
【００３０】
第７の発明によれば、コンクリートスラブを形成する際に、支保工を必要としないため、第６の発明の効果に加え、コンクリートスラブの施工に要するコストが削減されるという効果を奏する。
【図面の簡単な説明】
【００３１】
【図１】（ａ）は実施例１のデッキプレートの外観を示した正面図であり、（ｂ）は同図（ａ）におけるＡ方向矢視図であり、（ｃ）は実施例１のデッキプレート固定金具の外観を示した斜視図である。
【図２】（ａ）及び（ｂ）はそれぞれ実施例１のデッキプレート及びデッキプレート固定金具の使用状態を示した正面図とその断面図であり、（ｃ）は同図（ａ）におけるＢ−Ｂ線矢視断面図であり、（ｄ）は実施例１のデッキプレート固定金具の第１の変形例の外観を示した正面図である。
【図３】（ａ）は両端にデッキプレート固定金具が取り付けられた実施例１のデッキプレートの外観図であり、（ｂ）は同図（ａ）のデッキプレートが２つのＨ型鋼の間に架け渡された状態を示した図であり、（ｃ）は同図（ｂ）において一方のＨ型鋼の上部を拡大して示した図である。
【図４】（ａ）及び（ｂ）はそれぞれ実施例１のデッキプレート固定金具の第２の変形例とその補強部材の外観を示した斜視図であり、（ｃ）及び（ｄ）はそれぞれ実施例１のデッキプレート固定金具の第３の変形例とその補強部材の外観を示した斜視図である。
【図５】（ａ）及び（ｂ）はそれぞれ実施例１のデッキプレート固定金具の第４の変形例とその補強部材の外観を示した斜視図であり、（ｃ）及び（ｄ）はそれぞれ実施例１のデッキプレート固定金具の第５の変形例とその補強部材の外観を示した斜視図である。
【図６】（ａ）は実施例２のデッキプレート固定金具の外観を示した斜視図であり、（ｂ）は両端に実施例２のデッキプレート固定金具が取り付けられた実施例１のデッキプレートが２つのＨ型鋼の間に架け渡された状態を示した図であり、（ｃ）は同図（ｂ）において一方のＨ型鋼の上部を拡大して示した図である。
【図７】（ａ）は実施例１のデッキプレートとは異なる構造のデッキプレートの外観を示した正面図であり、（ｂ）は実施例１の２つのデッキプレート固定金具が両端にそれぞれ取り付けられた同図（ａ）のデッキプレートが２つのＨ型鋼の間に架け渡された状態を示した図であり、（ｃ）は同図（ｂ）において一方のＨ型鋼の上部を拡大して示した図である。
【図８】（ａ）は従来技術に係るデッキプレートの正面図であり、（ｂ）及び（ｃ）は同図（ａ）に示したデッキプレートを構成する２種類の型枠部材の平面図である。
【図９】（ａ）及び（ｃ）は型枠部材の外観斜視図であり、（ｂ）及び（ｄ）はそれぞれ同図（ａ）におけるＤ−Ｄ線矢視断面図及び同図（ｃ）におけるＥ−Ｅ線矢視断面図である。
【図１０】（ａ）及び（ｂ）は図８に示したデッキプレートを用いてコンクリートスラブが形成される様子を模式的に示した図である。
【図１１】（ａ）は図８に示したデッキプレートが２つのＨ型鋼の間に架け渡された状態を示した図であり、（ｂ）は同図（ａ）に示したデッキ受け治具の正面図である。
【図１２】（ａ）は両端が潰されていない角パイプを備えた従来技術に係るデッキプレートが２つのＨ型鋼の間に架け渡された状態を示した図であり、（ｂ）及び（ｃ）はそれぞれ同図（ａ）に示したデッキプレートの側面図及び平面図である。
【発明を実施するための形態】
【００３２】
本発明のデッキプレートとそれに用いられるデッキプレート固定金具について、図１乃至図７を参照しながら具体的に説明する。なお、本発明のデッキプレートは、鉄筋コンクリートや鉄骨鉄筋コンクリートを構造材料とする構築物においてコンクリートスラブを形成する際に、梁型枠の側部やＨ型鋼のフランジに支持具等を介して固定される角材の上面に設置されるものである。
したがって、以下の説明では、デッキプレートがそのようにして実際に使用される状態を想定して、「上面」や「下面」あるいは「水平」や「鉛直」などの表現を用いている。
【実施例１】
【００３３】
図１（ａ）は本発明の実施の形態に係る実施例１のデッキプレート１ａの外観を示した正面図であり、図１（ｂ）は図１（ａ）におけるＡ方向矢視図であり、図１（ｃ）は本発明の実施の形態に係る実施例１のデッキプレート固定金具６ａの外観を示した斜視図である。
図２（ａ）は図１（ａ）においてデッキプレート１ａの角パイプ３の一端に図１（ｃ）のデッキプレート固定金具６ａが挿設された状態の外観を示した正面図であり、図２（ｂ）は図２（ａ）においてボルト４の中心軸を通るとともにデッキプレート１ａの長手方向に平行な平面でデッキプレート１ａとデッキプレート固定金具６ａが切断された状態を示す断面図である。また、図２（ｃ）は図２（ａ）におけるＢ−Ｂ線矢視断面図であり、図２（ｄ）は図１（ｃ）に示したデッキプレート固定金具６ａの第１の変形例の外観を示した正面図である。
図３（ａ）は図１（ａ）においてデッキプレート１ａの角パイプ３の両端に図１（ｃ）のデッキプレート固定金具６ａがそれぞれ挿設された状態を示しており、図３（ｂ）は図３（ａ）のデッキプレート１ａとデッキプレート固定金具６ａ，６ａが２つのＨ型鋼６６，６６の間に架け渡された状態を示している。また、図３（ｃ）は図３（ｂ）において一方のＨ型鋼６６にデッキプレート固定金具６ａを介してデッキプレート１ａの一端が取り付けられた状態を拡大して示した図である。
なお、図８乃至図１２に示した構成要素については同一の符号を付して、その説明を省略する。
【００３４】
図１（ａ）及び図１（ｂ）に示すように、本発明のデッキプレート１ａは、コンクリートを打設する際に上面２ａが成型面となる平板２と、この平板２の下面２ｂに溶接や接着あるいはリベットやビスによって固定される複数の角パイプ３によって構成されている。角パイプ３は、断面が高さ方向（平板２に直交する方向）の長さよりも幅方向（平板２に平行な方向）の長さが短いような縦長の形状をなしており、その下面３ａには、ボルト４が螺入されるボルト孔３ｂ（図２（ｃ）参照）と、ボルト４に螺合する雌ネジ部が内周面に形成されたボルト孔５ａ（図２（ｃ）参照）を有する台座５がボルト孔３ｂとボルト孔５ａにボルト４を連通可能に、設けられている。そして、ボルト孔３ｂには、ボルト４が角パイプ３の内部へ突出した先端部によって、後述するように角パイプ３に内挿されたデッキプレート固定金具６ａの下面を押圧可能に螺入されている。
【００３５】
このような構造のデッキプレート１ａにおいては、ボルト孔５ａに螺入されたボルト４を回す際に、その中心軸がぶれないように台座５によってボルト４が保持されるという作用を有する。
中心軸がぶれると、ボルト４を回し難くなるとともに、ボルト４を回す力がボルト孔３ｂの縁に対して不均一に加わるため、その箇所が破損するおそれがあるが、デッキプレート１ａでは、ボルト４に対して台座５が設けられているため、ボルト４を操作し易いだけでなく、ボルト孔３ｂの破損を防ぐことができるという効果を有している。
【００３６】
図１（ｃ）に示すように、本発明のデッキプレート固定金具６ａは、平面視矩形状をなすとともに一端が下方へ直角に折り曲げられるようにして直立部７ａが形成された金属製の長尺部材７と、この長尺部材７の下面７ｂに設けられる補強部材８ａからなる。なお、長尺部材７には、直立部７ａの近傍に釘孔７ｃが設けられている。
補強部材８ａは、長尺部材７と直交し、かつ、その幅方向（短手方向）と平行をなすように、基端が下面７ｂに接合されるとともに、長尺部材７の長手方向に沿って所定の間隔をあけて複数枚設置される矩形状の立設板９と、長尺部材７と平行に配置されて複数枚の仕切板９の先端が上面１０ａに接合される矩形状の長尺板１０と、この長尺板１０の直立部７ａに近い側の端部と長尺部材７の下面７ｂを連結する矩形状の連結板１１と、隣接する２枚の立設板９，９において、一方の基端と他方の先端を連結する平面視矩形状の筋交い板１２ａと、連結板１１の上面１１ａと立設板９の基端を連結する矩形状の筋交い板１２ｂを備えている。
【００３７】
筋交い板１２ｂの基端は、長尺部材７の端部を角材６２の上面に対して載置可能に、直立部７ａから所望の間隔をあけて、長尺部材７の下面７ｂに接合されている。また、長尺部材７と補強部材８ａは、それらの幅（短手方向の長さ）と高さ（長尺部材７に直交する方向の長さ）が角パイプ３の開口部の幅と高さ（内側の寸法）よりもそれぞれ短くなるように形成されている。
すなわち、デッキプレート固定金具６ａは、角パイプ３に内挿可能な構造となっている。したがって、図２（ａ）に示すように、デッキプレート固定金具６ａはデッキプレート１ａの角パイプ３の内部へ挿設された状態で使用される。
なお、デッキプレート固定金具６ａでは、デッキプレート１ａの角パイプ３に対して補強部材８ａの全体が内挿可能となっているが、本発明のデッキプレート固定金具は、このような構造に限定されるものではない。すなわち、デッキプレート固定金具６ａは、補強部材８ａの少なくとも一部が角パイプ３に内挿可能な構造であっても良い。
【００３８】
このような構造のデッキプレート固定金具６ａにおいては、長尺部材７や長尺板１０に垂直な方向について立設板９が補強部材８ａの圧縮強度を高めるように作用するとともに、それ以外の方向については、筋交い板１２ａが補強部材８ａの圧縮強度を高めるように作用する。さらに、デッキプレート固定金具６ａでは、補強部材８ａにおいて長尺部材７の長手方向の一端に近い側にあり、かつ、下面７ｂに直交する方向へ長尺部材７から最も離れている箇所（すなわち、直立部７ａに最も近い立設板９の先端）と、長尺部材７ｂにおいて補強部材８ａが設けられていない部分の下面７ｂを連結する連結板１１によって、長尺部材７において補強部材８ａが設けられていない部分の曲げ強度が高められるという作用を有する。
【００３９】
また、角パイプ３に挿設されたデッキプレート固定金具６ａは、図２（ｂ）に矢印Ｃで示すように、角パイプ３の長手方向へスライド可能となっている。この状態で、ボルト孔３ｂと台座５のボルト孔５ａに螺入されているボルト４を前進させると、図２（ｂ）及び図２（ｃ）に示すように、角パイプ３の内部に突出したボルト４の先端部によってデッキプレート固定金具６ａの補強部材８ａを構成する長尺板１０の下面１０ｂ（図１（ｃ）参照）が押圧される。そして、ボルト４をさらに前進させ、長尺板１０の下面１０ｂに対するボルト４の押圧力を高めると、デッキプレート固定金具６ａは、最終的に角パイプ３に対して移動不能な状態となる。すなわち、ボルト４は、デッキプレート固定金具６ａを角パイプ３に対して固定するという機能を有している。
【００４０】
なお、デッキプレート固定金具６ａでは、５枚の立設板９と８枚の筋交い板１２ａを備えているが、本発明のデッキプレート固定金具は、このような構造に限定されるものではない。例えば、３枚の立設板９と４枚の筋交い板１２ａを備えた構造（図２（ｄ）のデッキプレート固定金具６ｂ）であっても良い。すなわち、長尺部材７と補強部材８aの長さは使用するデッキプレート１ａや、その設置場所に応じて適宜変更可能である。
【００４１】
デッキプレート固定金具６ａは、図３（ａ）に示すようにデッキプレート１ａの角パイプ３に長尺部材７と補強部材８ａの一部が挿設された状態で、角パイプ３から突出している長尺部材７の一端が角材６２の上面に載置される。
このとき、デッキプレート固定金具６ａに対して角材６２から引き離すような水平方向の力が加わったとしても、長尺部材７の直立部７ａが角材６２の側面に係止するため、デッキプレート固定金具６ａが移動して長尺部材７の一端が角材６２の上面から外れてしまうことはない。
すなわち、長尺部材７の直立部７ａが角材６２の側面に係止することにより、角材６２から水平に離れる方向に対するデッキプレート固定金具６ａの移動が制限されるため、作業者はＨ型鋼６６，６６に設置された角材６２，６２の間にデッキプレート１ａを架け渡す作業を安全に行うことができる。
【００４２】
なお、角材６２の上面に載置された長尺部材７の一端は、釘孔７ｃ（図１（ｃ）参照）を利用して角材６２に対して釘止めされる。その後、図３（ｂ）及び図３（ｃ）に示すように、複数のデッキプレート固定金具６ａの長尺部材７の上面に平板１３が跨設される。
このように、デッキプレート固定金具６ａを用いることによれば、Ｈ型鋼６６，６６に設置された角材６２，６２の間にデッキプレート１ａを架け渡す際に、角材６２の上面に角パイプ３を直に載置する必要がない。したがって、角パイプ３の断面が、高さ方向（平板２に直交する方向）の長さよりも幅方向（平板２に平行な方向）の長さが短いような縦長の形状をなしている場合でも、角材６２の上面に角パイプ３が直に載置される場合とは異なり、角材６２の上面に載置された角パイプ３の端部がその長手方向に直交する鉛直平面内で揺動するという事態が起こり難く、デッキプレート１ａの設置状態が安定するため、作業者はデッキプレート１ａを設置する作業を安全に行うことができる。
また、デッキプレート固定金具６ａを用いる場合には、デッキプレート１ａを構成する角パイプ３の端部を扁平状に加工する必要がないため、デッキプレート１ａの製造コストが削減されるというメリットがある。
【００４３】
さらに、角パイプ３に挿設されたデッキプレート固定金具６ａは、角パイプ３のボルト孔３ｂに螺入されたボルト４を緩めることにより、角パイプ３の長手方向へスライド可能な状態となる。すなわち、角パイプ３の両端にデッキプレート固定金具６ａ，６ａがそれぞれ挿設されたデッキプレート１ａは、ボルト４を緩めてデッキプレート固定金具６ａ，６ａを角パイプ３の長手方向へスライドさせることによって、全体の長さを容易に変更可能な構造となっている。
【００４４】
したがって、Ｈ型鋼６６，６６に設置された角材６２，６２の間に架け渡されるデッキプレート１ａに対してデッキプレート固定金具６ａ，６ａを用いることによれば、コンクリートスラブの形成後に、デッキプレート固定金具６ａ，６ａをスライドさせて、デッキプレート固定金具６ａ，６ａのうち角パイプ３から突出した部分をデッキプレート１ａに加えた全体の長さを短くすることで、上述のコンクリートスラブの中からのデッキプレート１ａの取り出しが容易となる。さらに、上記構造であれば、全体の長さが調節可能であるため、回収後の利用範囲が広い。したがって、デッキプレート固定金具６ａを用いたデッキプレート１ａは、再利用に適している。
【００４５】
なお、本実施例のデッキプレート固定金具６ａでは、長尺部材７の上面に平板１３が設置される構造となっているが、本発明のデッキプレート固定金具は、このような構造に限定されるものではない。例えば、複数のデッキプレート固定金具６ａの長尺部材７において、下面７ｂに補強部材８ａが設けられていない箇所の上面が溶接や接着あるいはリベットやビスによって平板１３の下面に固定された構造とすることもできる。
【００４６】
ここで、デッキプレート固定金具６ａの変形例について図４及び図５を用いて説明する。
図４（ａ）及び図４（ｂ）はそれぞれデッキプレート固定金具６ａの第２の変形例とその補強部材の外観を示した斜視図であり、図４（ｃ）及び図４（ｄ）はそれぞれデッキプレート固定金具６ａの第３の変形例とその補強部材の外観を示した斜視図である。また、図５（ａ）及び図５（ｂ）はそれぞれデッキプレート固定金具６ａの第４の変形例とその補強部材の外観を示した斜視図であり、図５（ｃ）及び図５（ｄ）はそれぞれデッキプレート固定金具６ａの第５の変形例とその補強部材の外観を示した斜視図である。
なお、図１及び図２に示した構成要素については同一の符号を付して、その説明を省略する。
【００４７】
図４（ａ）及び図４（ｂ）に示すように、デッキプレート固定金具６ｃは、デッキプレート固定金具６ａの補強部材８ａにおいて、立設板９と筋交い板１２ａ，１２ｂの代わりに、複数回折り曲げられるようにして立設部１４ａ，１５ａと筋交い部１４ｂ，１５ｂが交互に形成された金属製の帯板１４，１５を有する補強部材８ｂを備えたことを特徴とする。
帯板１４，１５は、いずれも幅が長尺部材７及び長尺板１０の幅の半分であり、長尺部材７の長手方向に沿うように並列に配置されるとともに、立設部１４ａ，１５ａが長尺部材７と長尺板１０に対して垂直になるように、立設部１４ａ，１５ａの両端が長尺部材７の下面７ｂと長尺板１０の上面１０ａにそれぞれ接合されている。また、帯板１４，１５は、筋交い部１４ｂ，１５ｂが側面視Ｘ字状をなすように配置されており、帯板１４の一端は連結板１１の上面１１ａに接合されている。
【００４８】
このような構造のデッキプレート固定金具６ｃにおいては、帯板１４，１５の立設部１４ａ，１５ａが長尺部材７や長尺板１０に垂直な方向について補強部材８ｂの圧縮強度を高めるように作用するとともに、それ以外の方向については、筋交い部１４ｂ，１５ｂが補強部材８ｂの圧縮強度を高めるように作用する。また、連結板１１によって、長尺部材７において補強部材８ｂが設けられていない部分の曲げ強度が高められるという作用を有する。したがって、デッキプレート固定金具６ｃでは、デッキプレート１ａの設置に用いた場合に、角材６２の上面に載置される部分の長尺部材７や補強部材８ｂが破損し難い。
さらに、帯板１４，１５が長尺部材７や長尺板１０に接合される箇所は、デッキプレート固定金具６ａにおいて立設板９と筋交い板１２ａ，１２ｂが長尺部材７や長尺板１０に接合される箇所に比べて少ないため、デッキプレート固定金具６ｃは、デッキプレート固定金具６ａよりも安価に製造することが可能である。
【００４９】
図４（ｃ）及び図４（ｄ）に示すように、デッキプレート固定金具６ｄは、デッキプレート固定金具６ａにおいて、補強部材８ａの代わりに、立設板９と長尺板１０と連結板１１とプラスチック製の角柱体１６ａからなる補強部材８ｃを備えたことを特徴とする。
すなわち、補強部材８ｃは、補強部材８ａにおける筋交い板１２ａ，１２ｂと４枚の立設板９の代わりに長尺部材７の下面７ｂに設置された角柱体１６ａに対して、長手方向の両端に立設板９と連結板１１が設置されるとともに、下面に長尺板１０が設置された構造となっている。なお、角柱体１６ａは、図示しないビスや釘等によって長尺部材７に固定されている。
【００５０】
このような構造のデッキプレート固定金具６ｄにおいては、デッキプレート固定金具６ａのように筋交い板１２ａ，１２ｂを長尺部材７と長尺板１０に接合する作業を行う必要がない。また、補強部材８ｃを構成する部材の材料コストが安く、かつ、その部材の点数も少ない。したがって、製造コストが削減される。
さらに、デッキプレート固定金具６ｄでは、補強部材８ｃにおいて長尺部材７の長手方向の一端に近い側にあり、かつ、下面７ｂに直交する方向へ長尺部材７から最も離れている箇所（すなわち、直立部７ａに近い側の長尺板１０の端部）と、長尺部材７ｂにおいて補強部材８ｃが設けられていない部分の下面７ｂを連結する連結板１１及びこの連結板１１に接している側の角柱体１６ａの端部によって、長尺部材７において補強部材８ｃが設けられていない部分の曲げ強度が高められるという作用を有する。したがって、デッキプレート固定金具６ｄでは、デッキプレート１ａの設置に用いた場合に、角材６２の上面に載置される部分の長尺部材７や補強部材８ｃが破損し難い。
なお、補強部材８ｃを角柱体１６ａのみからなる構造とすることもできる。この場合、図４（ｃ）に示した構造のデッキプレート固定金具６ｃに比べて、製造コストをさらに安くすることができる。
【００５１】
図５（ａ）及び図５（ｂ）に示すように、デッキプレート固定金具６ｅは、デッキプレート固定金具６ｄにおいて、補強部材８ｃにおける角柱体１６ａの代わりに、長尺部材７よりも幅が狭い金属製の補強板１７を備えたことを特徴とする。
すなわち、デッキプレート固定金具６ｅの補強部材８ｄは、側面視台形をなし、長尺部材７の幅方向の中央において下面７ｂに接合された補強板１７に対して、長手方向の両端に立設板９と連結板１１が設置されるとともに、下面に長尺板１０が設置された構造となっている。
【００５２】
このような構造のデッキプレート固定金具６ｅにおいては、長尺部材７や長尺板１０に垂直な方向やそれ以外の方向について、補強板１７が補強部材８ａの圧縮強度を高めるように作用する。また、デッキプレート固定金具６ｅでは、補強部材８ｄにおいて長尺部材７の長手方向の一端に近い側にあり、かつ、下面７ｂに直交する方向へ長尺部材７から最も離れている箇所（すなわち、直立部７ａに近い側の長尺板１０の端部）と、長尺部材７ｂにおいて補強部材８ａが設けられていない部分の下面７ｂを連結する連結板１１及びこの連結板１１に接している側の補強板１７の端部によって、長尺部材７において補強部材８ａが設けられていない部分の曲げ強度が高められるという作用を有する。したがって、デッキプレート固定金具６ｅでは、デッキプレート１ａの設置に用いた場合に、角材６２の上面に載置される部分の長尺部材７や補強部材８ｄが破損し難い。
また、デッキプレート固定金具６ｅでは、デッキプレート固定金具６ａのように筋交い板１２ａ，１２ｂを長尺部材７と長尺板１０に接合する作業を行う必要がないため、製造コストの削減を図ることができる。
【００５３】
図５（ｃ）及び図５（ｄ）に示すように、デッキプレート固定金具６ｆは、デッキプレート固定金具６ｄにおいて、補強部材８ｃの代わりに、木製の角柱体１６ｂからなる補強部材８ｅを備えたことを特徴とする。
すなわち、補強部材８ｅは、角柱体１６ｂが図示しないビスや釘等によって長尺部材７の下面７ｂに固定された構造となっている。
このような構造のデッキプレート固定金具６ｆにおいては、長尺部材７や長尺板１０に垂直な方向やそれ以外の方向に対する圧縮強度が角柱体１６ｂによって高められるという作用を有する。また、長尺部材７の直立部７ａに近い側の角柱体１６ｂの端部によって、長尺部材７において補強部材８ｅが設けられていない部分の曲げ強度が高められるという作用を有する。したがって、デッキプレート固定金具６ｆでは、デッキプレート１ａの設置に用いた場合に、角材６２の上面に載置される部分の長尺部材７や補強部材８ｅが破損し難い。
さらに、デッキプレート固定金具６ｆでは、デッキプレート固定金具６ａのように筋交い板１２ａ，１２ｂを長尺部材７と長尺板１０に接合する作業を行う必要がなく、また、補強部材８ｃを構成する部材の材料コストが安く、かつ、その部材の点数も少ないことから、製造コストが削減される。
【実施例２】
【００５４】
図６（ａ）は本発明の実施の形態に係る実施例２のデッキプレート固定金具６ｇの外観を示した斜視図であり、図６（ｂ）は２つのデッキプレート固定金具６ｇ，６ｇが両端にそれぞれ取り付けられた実施例１のデッキプレート１ａが２つのＨ型鋼６６，６６の間に架け渡された状態を示した図であり、図６（ｃ）は図６（ｂ）において一方のＨ型鋼６６の上部を拡大して示した図である。
なお、図６（ｂ）及び図６（ｃ）では、図が煩雑になるのを避けるために、デッキプレート固定金具６ｇの長尺部材７の上面に設置する平板１３の図示を省略している。また、図１乃至図３と図８乃至図１２に示した構成要素については同一の符号を付して、その説明を省略する。
【００５５】
図６（ａ）に示すように、デッキプレート固定金具６ｇは、実施例１のデッキプレート固定金具６ａにおいて、下面７ｂに補強部材８ａが設けられていない部分の長尺部材７が所望の角度だけ下方へ曲折されていることを特徴とする。
このような構造のデッキプレート固定金具６ｇ，６ｇの一部が角パイプ３の両端にそれぞれ内挿されたデッキプレート１ａにおいては、図６（ｂ）及び図６（ｃ）に示すように、２つのＨ型鋼６６，６６にデッキ受け治具６７，６７によって設置された角材６２，６２の上面に長尺部材７，７をそれぞれ載置すると、デッキプレート１ａが長尺部材７，７によって持ち上げられた状態となり、キャンバー（むくり）が形成される。
【００５６】
このとき、キャンバーの量は、長尺部材７の端部が折り曲げられた角度に応じて異なる。すなわち、デッキプレート固定金具６ｇでは、長尺部材７の端部が折り曲げられる角度を変えることにより、デッキプレート１ａに取り付けた際に形成されるキャンバーの量を調節することが可能となっている。
また、ボルト４は、その先端部によってデッキプレート固定金具６ｇの下面を押圧することで、平板２の上面２ａに打設されたコンクリートの重量により、キャンバーが解消されてしまう方向へデッキプレート固定金具６ｇ，６ｇが移動してしまうことを防ぐという機能を有している。
【００５７】
このように、デッキプレート１ａでは、両端に取り付けられたデッキプレート固定金具６ｇ，６ｇが移動してキャンバーが勝手に解消されてしまうおそれがないため、作業時の安全性に優れている。そして、コンクリートスラブの形成時に支保工を設ける必要がない。これにより、コンクリートスラブの施工に要するコストが削減される。また、デッキプレート１ａは、両端にデッキプレート固定金具６ｇ，６ｇを取り付けることで、全体の長さが可変になる。これにより、形成されたコンクリートスラブから容易に回収することが可能となる。  
【実施例３】
【００５８】
図７（ａ）は実施例１のデッキプレート１ａとは異なる構造のデッキプレート１ｂの外観を示した正面図であり、図７（ｂ）は実施例１の２つのデッキプレート固定金具６ａ，６ａが両端にそれぞれ取り付けられたデッキプレート１ｂが２つのＨ型鋼６６，６６の間に架け渡された状態を示した図であり、図７（ｃ）は図７（ｂ）において一方のＨ型鋼６６の上部を拡大して示した図である。
なお、図１乃至図３と図８乃至図１２に示した構成要素については同一の符号を付して、その説明を省略する。
図７（ａ）に示すように、デッキプレート１ｂは、実施例１のデッキプレート１ａにおいて、長手方向の中央部分が平板２の側に凸となるように、平板２と角パイプ３が湾曲した状態に形成されていることを特徴とする。
【００５９】
このような構造のデッキプレート１ｂにおいては図７（ｂ）及び図７（ｃ）に示すように、両端にデッキプレート固定金具６ａ，６ａの一部をそれぞれ内挿した状態で、２つのＨ型鋼６６，６６にデッキ受け治具６７，６７によって設置された角材６２，６２の上面に長尺部材７，７をそれぞれ載置すると、長手方向の中央部にキャンバー（むくり）が形成される。このとき、ボルト４は、平板２の上面２ａ（図７（ａ）参照）にコンクリートが打設された際にデッキプレート固定金具６ａ，６ａが勝手に移動して、キャンバーが解消されてしまうことがないように、その先端部によってデッキプレート固定金具６ａ，６ａの下面を押圧することで、それらの移動を制限するという作用を有する。
【００６０】
以上説明したように、デッキプレート１ｂは、両端にデッキプレート固定金具６ａ，６ａが取り付けられることで、全長が可変な構造となる。これにより、形成されたコンクリートスラブからの回収が容易になる。また、デッキプレート１ｂでは、２つのＨ型鋼６６，６６の間に架け渡された場合にキャンバーが形成されるため、コンクリートスラブの施工時に、長手方向の中央部分を支持するための支保工を設置する必要がない。したがって、コンクリートスラブの施工費用が削減される。
【産業上の利用可能性】
【００６１】
本発明は、鉄筋コンクリートや鉄骨鉄筋コンクリートを構造材料とする構築物において多層建築物の床や天井等にコンクリートスラブを施工する際に適用可能である。
【符号の説明】
【００６２】
１ａ，１ｂ…デッキプレート  ２…平板  ２ａ…上面  ２ｂ…下面  ３…角パイプ  ３ａ…下面  ３ｂ…ボルト孔  ４…ボルト  ５…台座  ５ａ…ボルト孔  ６ａ〜６ｇ…デッキプレート固定金具  ７…長尺部材  ７ａ…直立部  ７ｂ…下面  ７ｃ…釘孔  ８ａ〜８ｅ…補強部材  ９…立設板  １０…長尺板  １０ａ…上面  １０ｂ…下面  １１…連結板  １１ａ…上面  １２ａ，１２ｂ…筋交い板  １３…平板  １４…帯板  １４ａ…立設部  １４ｂ…筋交い部  １５…帯板  １５ａ…立設部  １５ｂ…筋交い部  １６ａ，１６ｂ…角柱体  １７…補強板  ５１…デッキプレート  ５２，５３…型枠部材  ５４，５５…平板  ５４ａ，５５ａ…上面  ５４ｂ，５５ｂ…下面  ５６，５７…角パイプ  ５６ａ，５７ａ…開口端  ５６ｂ，５７ｂ…扁平端  ５６ｃ，５７ｃ…上面  ５８…長尺部材  ５９…スラブ  ６０…支保工  ６１…梁型枠  ６２…角材  ６３…枕木  ６４…梁  ６５…スラブ  ６６…Ｈ型鋼  ６６ａ…ウェブ  ６６ｂ…フランジ  ６７…デッキ受け治具  ６８…アングル材  ６８ａ…平坦部  ６８ｂ…直立部  ６８ｃ…取付部  ６９ａ…取付用ボルト  ６９ｂ…ナット  ７０…補強板  ７１…傾き調整用ボルト  ７２ａ…ボルト穴  ７２ｂ…長穴  ７３…デッキプレート  ７４…角パイプ  ７４ａ…上面  ７５…平板    
【図１】
2019210633.tif 000003
【図２】
2019210633.tif 000004
【図３】
2019210633.tif 000005
【図４】
2019210633.tif 000006
【図５】
2019210633.tif 000007
【図６】
2019210633.tif 000008
【図７】
2019210633.tif 000009
【図８】
2019210633.tif 000010
【図９】
2019210633.tif 000011
【図１０】
2019210633.tif 000012
【図１１】
2019210633.tif 000013
【図１２】
2019210633.tif 000014